(57)【要約】      （修正有）【課題】コントロールビット生成モジュール及びコントロールチャンネルマッピングモジュールを含む装置を提供する。【解決手段】コントロールビット生成モジュールは、少なくとも１つのコントロールチャンネルによって伝送されるコントロールビットを生成するように構成される。コントロールチャンネルマッピングモジュールは、リソースエレメントグループに少なくとも１つのコントロールチャンネルをマッピングするように構成される。コントロールチャンネルマッピングモジュールのリソースエレメントポインタは、一般に、マッピング反復のそれぞれで２の倍数だけインクリメントされる。【選択図】図１Ａ
2013031157.tif 000002
【特許請求の範囲】
【請求項１】
少なくとも１つのコントロールチャンネルによって伝送されるコントロールビットを生成するように構成されたコントロールビット生成モジュールと、
リソースエレメントグループに少なくとも１つのコントロールチャンネルをマッピングするように構成されたコントロールチャンネルマッピングモジュールと、
を備え、
前記コントロールチャンネルマッピングモジュールのリソースエレメントポインタは、マッピング反復のそれぞれで２の倍数だけインクリメントされることを特徴とする装置。
【請求項２】
前記装置は、ワイヤレス通信ネットワークの基地局の一部であることを特徴とする請求項１に記載の装置。
【請求項３】
前記装置は、３ＧＰＰ  ＬＴＥに準拠したワイヤレス通信ネットワークの基地局の一部であることを特徴とする請求項１に記載の装置。
【請求項４】
前記コントロールチャンネルマッピングモジュールは、フィジカルダウンリンクコントロールチャンネル（ＰＤＣＣＨ）、フィジカルハイブリッドＡＲＱインジケータチャンネル（ＰＨＩＣＨ）、及びフィジカルコントロールフォーマットインジケータチャンネル（ＰＣＦＩＣＨ）にリソースエレメントを割り当てるように更に構成されることを特徴とする請求項１に記載の装置。
【請求項５】
前記コントロールチャンネルは、基本ユニットとして偶数のサブキャリアを有するサブキャリアにマッピングされることを特徴とする請求項１に記載の装置。
【請求項６】
前記コントロールチャンネルは、４つ又は６つのいずれかのサブキャリアを備えるリソースエレメントグループにマッピングされることを特徴とする請求項５に記載の装置。
【請求項７】
前記コントロールチャンネルは、ダウンリンクデータ送信に割り当てられたリソースブロックのサブキャリアにマッピングされることを特徴とする請求項１に記載の装置。
【請求項８】
前記コントロールチャンネルは、ダウンリンクデータ送信に割り当てられたサブフレームの第１のスロットのサブキャリアにマッピングされることを特徴とする請求項１に記載の装置。
【請求項９】
フィジカルチャンネルにダウンリンクコントロールチャンネルをマッピングする方法であって、
少なくとも１つのコントロールチャンネルによって伝送されるコントロールビットを生成するステップと、
リソースエレメントグループに少なくとも１つのコントロールチャンネルをマッピングするステップと、
を備え、
リソースエレメントポインタは、マッピング反復のそれぞれで２の倍数だけインクリメントされることを特徴とする方法。
【請求項１０】
前記コントロールチャンネルは、ダウンリンクチャンネルによって基地局からワイヤレス通信ネットワークの移動ユニットに伝送されることを特徴とする請求項９に記載の方法。
【請求項１１】
前記基地局は、３ＧＰＰ  ＬＴＥに準拠したワイヤレス通信ネットワークの一部であることを特徴とする請求項１０に記載の方法。
【請求項１２】
フィジカルダウンリンクコントロールチャンネル（ＰＤＣＣＨ）、フィジカルハイブリッドＡＲＱインジケータチャンネル（ＰＨＩＣＨ）、及びフィジカルコントロールフォーマットインジケータチャンネル（ＰＣＦＩＣＨ）にリソースエレメントを割り当てるステップを更に備えることを特徴とする請求項９に記載の方法。
【請求項１３】
前記コントロールチャンネルは、基本ユニットとして偶数のサブキャリアを有するサブキャリアにマッピングされることを特徴とする請求項９に記載の方法。
【請求項１４】
前記コントロールチャンネルは、４つ又は６つのいずれかのサブキャリアを備えるリソースエレメントグループにマッピングされることを特徴とする請求項１３に記載の方法。
【請求項１５】
少なくとも１つのコントロールチャンネルによって伝送されるコントロールビットを生成する手段と、
リソースエレメントグループに少なくとも１つのコントロールチャンネルをマッピングする手段と、
を備え、
リソースエレメントポインタは、マッピング反復のそれぞれで２の倍数だけインクリメントされることを特徴とする装置。
【発明の詳細な説明】
【技術分野】
【０００１】
本発明は、一般に、ワイヤレス通信に係り、特に、ロングタームエボリューション（ＬＴＥ）ダウンリンク（ＤＬ）でのフィジカルダウンリンクコントロールチャンネル（ＰＤＣＣＨ）リソースエレメントグループ（ＲＥＧ）マッピングの複雑性を低減するための方法及び／又は装置に関するものである。
【背景技術】
【０００２】
第３世代移動体通信システム標準化プロジェクト（３ＧＰＰ）ロングタームエボリューション（ＬＴＥ）規格（３ＧＰＰ  ＴＳ  ３６．２１１  Ｖ９．１．０（２０１０−０３））に準拠した第３世代モバイルネットワーク技術を実現するセルラシステムは、従来の規格と比較したとき、高いビットレート及びレイテンシは非常に制限される。高いビットレート及びレイテンシの制限は、ＬＴＥに準拠したシステムの開発者の多くの障害となる。レイテンシの必要性能を満たすために、処理は高速である必要がある。高速処理のためには、強力なプロセッサを必要とし、プロジェクト予算を増加させる。強力なプロセッサは、電力消費をも増加させる。ＬＴＥダウンリンク（ＤＬ）は、リリース８及びリリース９用の３００Ｍｂｐｓ、並びにリリース１０（ＬＴＥ−ＡＤＶＡＮＣＥＤ）用の６００Ｍｂｐｓの２０ＭＨｚの帯域幅用の最大ビットレートを有する。ビットレートは、いくつかの移動ユニット（ユーザ機器又はＵＥと指称される）の間で分離することができるだろう。
【０００３】
ＬＴＥフィジカルレイヤ（ＰＨＹ）は、基礎的な変調技術として直交周波数分割多重（ＯＦＤＭ）を利用する。ＯＦＤＭ方式は、パラレルストリームに、多くのより綿密なサブキャリア及び送信データ向けに使用可能な帯域幅をブレークする。サブキャリアのそれぞれは、直交振幅変調（ＱＡＭ）の変化するレベルを用いて変調される。従って、ＯＦＤＭシンボルのそれぞれは、チャンネルにおけるサブキャリアのそれぞれの瞬間信号の線形一次結合である。ＬＴＥ  ＰＨＹは、基礎的な多重化方式としてダウンリンク（ＤＬ）での直交周波数分割多元接続（ＯＦＤＭＡ）を用いる。ＯＦＤＭＡは、データがシンボル期間の特定数のためにサブキャリアごとの単位で複数ユーザに又は複数ユーザから導かれることを可能にする。
【０００４】
図１Ａ及び１Ｂを参照すると、一般的なＬＴＥフレーム構造を説明する図が示される。ＬＴＥフレーム構造タイプ１（図１Ａ）は、周波数分割二重化（ＦＤＤ）と共に用いられる。ＬＴＥフレーム構造タイプ２（図１Ｂ）は、時分割二重化（ＴＤＤ）と共に用いられる。ＬＴＥフレーム構造タイプ１は、所要時間が１０ミリ秒（ｍｓ）である（Ｔf＝３０７２００Ｔs＝１０ｍｓ）。ＬＴＥフレーム構造タイプ１は、１０のサブフレームに分割され、サブフレームのそれぞれは、長さが１ｍｓである。サブフレームのそれぞれは、更に２つの連続スロットに分割され、サブフレームｉは、スロット２ｉ及び２ｉ＋１を含む。スロットのそれぞれは、０．５ｍｓの所要時間の長さ（ＴSLOT）を有している（ＴSLOT＝１５３６０Ｔs＝０．５ｍｓ）。サブフレーム（１ｍｓ）のそれぞれでは、１２又は１４のＯＦＤＭシンボル（１つのスロット当たり６つ又は７つのＯＦＤＭシンボル）が通常又は拡張されたサイクリックプレフィックスが利用されるか否かに依存して送信される。ＦＤＤのために、それぞれ１０ｍｓのインターバルで、１０のサブフレームがダウンリンク伝送のために使用可能であり、１０のサブフレームがアップリンク伝送のために使用可能である。
【０００５】
ＬＴＥフレーム構造タイプ２は、同様に所要時間が１０ｍｓである（Ｔf＝３０７２００Ｔs＝１０ｍｓ）。ＬＴＥフレーム構造タイプ２は、一般に、それぞれの長さが１５３６００Ｔs＝５ｍｓの２つのハーフフレームに分割される。ハーフフレームのそれぞれは、５つのサブフレームを有し、サブフレームのそれぞれは、３０７２０Ｔs＝１ｍｓである。サブフレームｉのそれぞれは、２つのスロット２ｉ及び２ｉ＋１として定義される。スロットのそれぞれは、長さＴSLOT＝１５３６０Ｔs＝０．５ｍｓを有する。
【０００６】
図２を参照すると、フレームで第１のスロット（７つのＯＦＤＭシンボル及び０．５ｍｓ）を説明するダウンリンクリソースグリッド３０の図が示される。スロットのそれぞれで送信された信号は、ＮDLRB×ＮRBSCのサブキャリアとＮDLSYMBのＯＦＤＭシンボルから構成されたリソースグリッド３０によって説明することができる。第１のＯＦＤＭシンボル（４つまでのＯＦＤＭシンボル）は、コントロールするために割り当てられ、他のＯＦＤＭシンボルはデータに割り当てられる。リソースグリッド３０では、３つのＯＦＤＭシンボルがコントロールチャンネル（網目状の陰影をつけることで示される）に割り当てられることとして説明される。データと比較したとき、４つまでのＯＦＤＭシンボルのフィジカルリソースは無視できず、コントロールのために用いられる処理能力を低下させることは望ましい。
【０００７】
使用可能なダウンリンク帯域幅は、フィジカルリソースブロック（ＰＲＢ）３２に分割される。使用可能なサブキャリアの総数は、システムの全ての伝送帯域幅に依存する。ＬＴＥ仕様は、１．２５ＭＨｚから２０ＭＨｚのシステム帯域幅のためのパラメータを定義する。ＰＲＢ３２は、所要時間に１つのスロット（０．５ｍｓ）のために１２の連続サブキャリアが存在することとして定義される。ＰＲＢ３２は、基地局スケジューラによって割り当てられたリソース割り当ての最も小さなエレメントである。リソースグリッド３０内のボックス３４のそれぞれは、１つのシンボル期間のための単一のサブキャリアを表し、リソースエレメント（ＲＥ）と指称される。マルチ入力マルチ出力（ＭＩＭＯ）アプリケーションでは、送信アンテナのそれぞれのためにリソースグリッドが存在する。
【０００８】
３つのフィジカルコントロールチャンネルは、ＬＴＥダウンリンクで定義される：フィジカルダウンリンクコントロールチャンネル（ＰＤＣＣＨ）、フィジカルハイブリッドＡＲＱインジケータチャンネル（ＰＨＩＣＨ）、及びフィジカルコントロールフォーマットインジケータチャンネル（ＰＣＦＩＣＨ）。ＰＤＣＣＨチャンネルは、ダウンリンクをスケジュールする割り当て及びアップリンクをスケジュールする許可を伝える役割がある。ＰＤＣＣＨは、大多数のフィジカルコントロールリソースを消費するコントロールチャンネルである。
【発明の概要】
【発明が解決しようとする課題】
【０００９】
ＬＴＥ  ＤＬでのＰＤＣＣＨリソースエレメントグループ（ＲＥＧ）マッピングの複雑性を低減するための方法及び／又は装置を実現することは望ましいだろう。
【課題を解決するための手段】
【００１０】
本発明は、コントロールビット生成モジュール及びコントロールチャンネルマッピングモジュールを含む装置に関する。コントロールビット生成モジュールは、少なくとも１つのコントロールチャンネルによって伝送されるコントロールビットを生成するように構成される。コントロールチャンネルマッピングモジュールは、リソースエレメントグループに少なくとも１つのコントロールチャンネルをマッピングするように構成される。コントロールチャンネルマッピングモジュールのリソースエレメントポインタは、一般に、マッピング反復のそれぞれで２の倍数だけインクリメントされる。
【００１１】
本発明の目的、特徴、及び利点は、（ｉ）ＬＴＥ  ＤＬシステムでのＰＤＣＣＨのリソースエレメントグループ（ＲＥＧ）マッピングの著しい減少を導入し、（ｉｉ）ＲＥＧマッピングアルゴリズムのインナーループを半分に減少させることによって、３ＧＰＰ規格で表されたアルゴリズムが改善することを証明し、（ｉｉｉ）ＲＥＧ写像アルゴリズムのインナーループを半分に減少させることがＬＴＥ  ＤＬの全てのケースのために有効であることを証明し、（ｉｖ）ハードウェア（ＨＷ）及びソフトウェア（ＳＷ）実装の両方に適用可能であり、及び／又は（ｖ）インデックスを１の代わりに２の倍数だけインクリメントする、ロングタームエボリューション（ＬＴＥ）ダウンリンク（ＤＬ）でのフィジカルダウンリンクコントロールチャンネル（ＰＤＣＣＨ）リソースエレメントグループ（ＲＥＧ）マッピングの複雑性の低減のための方法及び／又は装置を提供することを含む。
【００１２】
本発明のこれら及び他の目的、特徴、及び利点は、以下の明細書、添付された特許請求の範囲、及び図面から明らかになるだろう。
【図面の簡単な説明】
【００１３】
【図１Ａ】ＬＴＥフレームの一例を説明する図である。
【図１Ｂ】ＬＴＥフレームの一例を説明する図である。
【図２】ＬＴＥリソースグリッドを説明する図である。
【図３】本発明の実施の形態が実現されるシステムを説明する図である。
【図４】本発明の実施の形態に従ってダウンリンクチャンネルを処理するのに費やされたコンポーネントの一例を説明する図である。
【図５】本発明の実施の形態の一例による処理装置を説明する図である。
【図６】本発明に従ってコントロールするために割り当てられた３つのＯＦＤＭシンボル及びリソースエレメントグループ（ＲＥＧ）の一例を説明する図である。
【図７】本発明による処理を説明する流れ図である。
【発明を実施するための形態】
【００１４】
図３を参照すると、本発明の実施の形態の一例に従って実現された通信システムを説明するシステム１００の図が示される。システム１００は、ワイヤレス通信システムを実現する。一例では、システム１００は、３ＧＰＰロングタームエボリューション（ＬＴＥ）規格に準拠した第３世代セルラー方式を実現する。システム１００は、一般に、少なくとも１つの基地局１０２及び複数の移動ユニット１０４を備える。基地局１０２は、ダウンリンクチャンネル１０６を通じて移動ユニット１０４に信号を送信する。移動ユニット１０４のそれぞれは、アップリンクチャンネル１０８を通じて基地局１０２に信号を送信する。システム１００は、複数の基地局１０２で実現されても良い。基地局１０２は、処理装置１１０を含む。移動ユニット１０４のそれぞれは、処理装置１２０を含む。処理装置１１０及び１２０は、基地局１０２と移動ユニット１０４との間の通信を管理するように構成される。
【００１５】
処理装置１１０は、直交周波数分割多重（ＯＦＤＭ）シンボルのリソースエレメントマッピングのための反復ダウンリンク処理を実行するように構成される。一例では、プロセッサ１１０は、本発明によるダウンリンク処理を実行するためにハードウェアを実現する。別の一例では、本発明によるダウンリンク処理は、処理装置１１０で実行されたソフトウェアによって実行される。一例では、本発明によるダウンリンク処理を実行するためのソフトウェアは、フラッシュメモリ又は他の不揮発性メモリ（例えば、プログラム可能リードオンリメモリ（ＰＲＯＭ）、消去可能プログラム可能リードオンリメモリ（ＥＰＲＯＭ）、電気的消去可能リードオンリメモリ（ＥＥＰＲＯＭ）、バブルメモリ、ディスク、又はディスク媒体等）に書き込まれる。更に、動的ランダムアクセスメモリ（ＤＲＡＭ）又は静的ランダムアクセスメモリ（ＳＲＡＭ）等の揮発性メモリでさえ用いられても良い。例えば、ソフトウェアは、電源投入時に不揮発性記憶媒体からロードされる。
【００１６】
図４を参照すると、システム１００のダウンリンク信号１０６を処理する際に基地局１０２によって利用されるコンポーネントの一例を説明する図が示される。一般に、基地局１０２は、一例では、移動ユニット１０４によって用いられるダウンリンク信号１０６を生成する。チャンネル１３０は、例えば、ワイヤレス通信チャンネルとして実現される。一例では、チャンネル１３０は、ワイヤレス通信ネットワーク（例えば、３ＧＰＰ  ＬＴＥネットワーク等）の移動体通信チャンネルとして実現される。一例では、基地局１０２は、ダウンリンクコントロールビット処理コンポーネント（又は、生成モジュール）１４０及びコントロールチャンネルマッピングモジュール１４２を含む。ダウンリンクコントロールビット処理コンポーネント１４０及びコントロールチャンネルマッピングモジュール１４２は、図２のプロセッサ１１０で実現される。
【００１７】
図５を参照すると、本発明の好適な実施の形態によるマッピングリソースエレメントを実現するように構成される処理装置２００の一例を説明するブロック図が示される。一例では、図１の処理装置１１０は、処理装置２００を用いて実現される。処理装置２００は、限定されるものではないが、ブロック（又はモジュール）２０２、ブロック（又はモジュール）２０４、ブロック（又はモジュール）２０６、ブロック（又はモジュール）２０８、ブロック（又はモジュール）２１０、及びブロック（又はモジュール）２１２を含む。ブロック２０２は、一例では、組込み型プロセッサ（例えば、ＡＲＭ等）として実現される。ブロック２０４は、リードオンリメモリ（ＲＯＭ）として実現される。ブロック２０６は、ランダムアクセスメモリ（ＲＡＭ）を備える。ブロック２０８は、デジタル信号プロセッサ（ＤＳＰ）を実現する。ブロック２１０は、一例では、アナログ／ＲＦユニット（例えば、トランシーバ）として実現される。別の一例では、ブロック２１０は、別々のトランスミッタ及びレシーバを実現する。ブロック２１２は、アンテナ（例えば、セルラーアンテナ等）を実現する。ブロック２１０は、アンテナ２１２を通じて情報を送受信するように構成される。ブロック２０２〜２１０は、１つ以上のバスを用いて相互に接続される。一例では、ブロック２０４は、本明細書の教示に従って、プロセッサ２０２及び／又はプロセッサ２０８のコントロールのためにコンピュータ実行命令を格納する。
【００１８】
図６を参照すると、本発明の実施の形態に従ってコントロールするために割り当てられた３つのＯＦＤＭシンボル及びリソースエレメントグループの一例を説明するリソースグリッド２５０の図が示される。変調及びプレ符号化に従って、コントロールシンボルのマッピングは、４つのシンボル（又はシンボル４つ組）のユニットで行われる。シンボル４つ組は、リソースエレメントグループ（ＲＥＧ）にマッピングされる。一例では、ＲＥＧのそれぞれは、参照シンボル（ＲＳ）のないＯＦＤＭシンボルのための４つのリソースエレメント（ＲＥ）、及び１つ以上の参照シンボルを含むＯＦＤＭシンボルのための６つのＲＥを含む。第一段階では、ＰＣＦＩＣＨとＰＨＩＣＨとがマッピングされる。第二段階では、ＰＤＣＣＨシンボルが図７に関して説明された処理に従ってマッピングされる。
【００１９】
図７を参照すると、本発明の実施の形態の一例による処理３００を説明する流れ図が示される。処理３００は、ＬＴＥダウンリンク（ＤＬ）での直交周波数分割多重（ＯＦＤＭ）シンボルにＰＤＣＣＨリソースエレメントグループ（ＲＥＧ）をマッピングする反復のダウンリンクプロセスを実現する。処理（又は方法）３００は、ステップ（又は状態）３０２、ステップ（又は状態）３０４、ステップ（又は状態）３０６、ステップ（又は状態）３０８、ステップ（又は状態）３１０、ステップ（又は状態）３１２、ステップ（又は状態）３１４、ステップ（又は状態）３１６、ステップ（又は状態）３１８、ステップ（又は状態）３２０、ステップ（又は状態）３２２、ステップ（又は状態）３２４、及びステップ（又は状態）３２６を備える。状態３０２では、処理３００が始まる（開始）。ステップ３０４では、処理３００が第１のループ変数（例えば、ｍ）を零に初期化する。ステップ３０６では、処理３００が第２のループ変数（例えば、ｋ）を零に初期化する。ステップ３０８では、処理３００が第３のループ変数（例えば、ｌ）を零に初期化する。一例では、ループ変数ｍ、ｋ、ｌは整数変数として実現される。別の一例では、ループ変数ｍ、ｋ、ｌはカウンタとして実現される。第１のループ変数ｍは、リソースエレメントグループ番号を表す。第２のループ変数ｋは、リソースエレメントポインタを表す。第３のループ変数ｌは、ＯＦＤＭシンボル番号を表す。第２及び第３のループ変数は、現在のリソースエレメントを識別する順序対（例えば、（ｋ、ｌ））を形成するために用いられる。
【００２０】
ステップ３１０では、処理３００は、リソースエレメント（ｋ、ｌ）がリソースエレメントグループを表すか否かを判断する。リソースエレメント（ｋ、ｌ）がリソースエレメントグループを表すならば、処理３００は、ステップ３１２に移行する。そうでなければ、処理３００は、ステップ３１８に移行する。ステップ３１２では、処理３００は、リソースエレメントグループがＰＣＦＩＣＨ又はＰＨＩＣＨに指定されるか否かを判断する。リソースエレメントグループがＰＣＦＩＣＨ又はＰＨＩＣＨに指定されないならば、処理３００は、ステップ３１４に移行する。そうでなければ、処理３００は、ステップ３１８に移行する。ステップ３１４では、処理３００は、アンテナポートｐのそれぞれのために（ｋ、ｌ）によって表されたリソースエレメントグループにシンボル４つ組（例えば、ｗ（ｍ））をマッピングする。その後、処理３００は、ステップ３１６に移行する。ステップ３１６では、処理３００は、第１のループ変数ｍを１だけインクリメントし、ステップ３１８に移行する。
【００２１】
ステップ３１８では、処理３００は、第３のループ変数ｌを１だけインクリメントし、ステップ３２０に移行する。ステップ３２０では、処理３００は、ｌ＜Ｌか否かを決定し、ここで、Ｌは、ＰＣＦＩＣＨで送信されたシーケンスによって示されるように、ＰＤＣＣＨ送信のために用いられたＯＦＤＭシンボルの数に対応する。ｌ＜Ｌならば、処理３００は、ステップ３１０にリターンする。そうでなければ、処理３００は、ステップ３２２に移行する。ステップ３２２では、処理３００は、第２のループ変数ｋを２だけインクリメントし、ステップ３２４に移行する。ステップ３２４では、処理３００は、第２のループ変数ｋの値がＯＦＤＭシンボルのリソースエレメントの総数以下か否かを判断する（例えば、ｋ＜Ｎ＿ＲＢ＊Ｎ＿ＳＣ）。第２のループ変数ｋがＯＦＤＭシンボルのリソースエレメントの総数以下であるならば、処理３００は、ステップ３０８にリターンする。そうでなければ、処理３００は、ステップ３２６に移行して終了する。
【００２２】
本発明の実施の形態による処理は、一般に、シングル又はマルチユーザ送信のいずれかのＯＦＤＭシンボルのＰＤＣＣＨリソースエレメントグループ（ＲＥＧ）マッピングを実現するためのソリューションを提供する。その処理は、ロングタームエボリューション（ＬＴＥ）ダウンリンク（ＤＬ）システムでのフィジカルダウンリンクコントロールチャンネル（ＰＤＣＣＨ）のリソースエレメントグループ（ＲＥＧ）マッピングの複雑性における著しい減少を導入する。一例では、本発明の実施の形態は、ＲＥＧマッピング処理のインナーループを半分に減少させることによって、３ＧＰＰ規格のＰＤＣＣＨ  ＲＥＧマッピングを向上させる。ここに説明された処理は、一般に、ＬＴＥ  ＤＬの全てのケースのために有効である。本発明の実施の形態によるＰＤＣＣＨ  ＲＥＧマッピング処理は、一般に、ハードウェア（ＨＷ）及びソフトウェア（ＳＷ）実装の両方のために有効である。
【００２３】
本発明によるＰＤＣＣＨ  ＲＥＧマッピング処理の実施の形態は、一般に、ＰＤＣＣＨのＲＥＧマッピングの処理能力を著しく低減する。ここに含まれる教示に従って実現された擬コードは、多くの方法で実現される。本発明の実施の形態による処理は、一般に、ＲＥＧのそれぞれが４つ又は６つのリソースエレメントを有し、３ＧＰＰ規格（例えば、３ＧＰＰ  ＴＳ  ３６．２１１、セクション６．２．４）によれば、ＲＥＧのそれぞれがリソースグリッドの発端に位置合わせされるので（ｋ＝０のとき、第１のＲＥＧが開始することを意味する）、ＰＤＣＣＨのＲＥＧマッピングに含まれる反復の数を半分に低減する。先の図６で示されるように、ｋが奇数のとき、対応するＲＥ（例えば、任意のｌのための）がＲＥＧの発端を表さないので、ｋは２だけインクリメントされる。一般に、通常、ｋを１の代わりに２だけ増加させることは、反復の数を、例えば、２０ＭＨｚの帯域幅（ＢＷ）を有するシステムの場合には１２００〜６００だけ減らす。
【００２４】
本発明の他の実施の形態では、反復の数は、コードに対するより多くの状態の追加によって更に低減される。一例では、ＯＦＤＭシンボルｌのそれぞれは、リソースエレメントポインタのそれぞれ（例えば、ｋ＿０、ｋ＿１、ｋ＿２等）を割り当てられ、リソースエレメントポインタｋ＿０、ｋ＿１、ｋ＿２は、ＲＥＧサイズのそれぞれに依存する値（例えば、４、６等）だけインクリメントされる。ｋ＿０、ｋ＿１、ｋ＿２のための適切なインクリメントを決定するために、ｌのそれぞれのためのチェックが行われる。別の一例では、ＲＥＧは、リソースエレメントポインタｋ＿ｎ（ｎ＝０、１、２、・・・）がｋ＿０、ｋ＿１、ｋ＿２の中の最小値と等しいときに限って割り当てられる。しかしながら、特定の実施の形態のその設計基準を満たすために、リソースエレメントポインタｋ又はポインタｋ＿０、ｋ＿１、ｋ＿２を１以上の値だけインクリメントする他の方式が実現されても良い。
【００２５】
図７によって実行される機能は、従来のメインプロセッサ、デジタルコンピュータ、マイクロプロセッサ、マイクロコントローラ、ＲＩＳＣ（縮小命令型コンピュータ）プロセッサ、ＣＩＳＣ（複雑命令セットコンピュータ）プロセッサ、ＳＩＭＤ（単一命令多重データ）プロセッサ、信号プロセッサ、中央演算処理装置（ＣＰＵ）、算術論理演算装置（ＡＬＵ）、ビデオデジタル信号プロセッサ（ＶＤＳＰ）、及び／又は関連する技術分野における当業者に明らかであろうように本明細書の教示に従ってプログラムされた同様の計算機の１つ以上を用いて実現される。適切なソフトウェア、ファームウェア、符号化、ルーチン、命令、オペコード、マイクロコード、及び／又はプログラムモジュールもまた関連する技術分野における当業者に明らかであろうように本明細書の教示に基づいて熟練したプログラマによって容易に準備される。ソフトウェアは、一般に機械実装のプロセッサの１つ以上によって１つの媒体又は複数の媒体から実行される。
【００２６】
本発明は、またＡＳＩＣ（特定用途向け集積回路）、プラットホームＡＳＩＣ、ＦＰＧＡ（フィールドプログラマブルゲートアレイ）、ＰＬＤ（プログラマブルロジックデバイス）、ＣＰＬＤ（コンプレックスプログラマブルロジックデバイス）、シーゲート、ＲＦＩＣ（高周波集積回路）、ＡＳＳＰ（特定用途専用標準品）、１つ以上のモノリシック集積回路、１つ以上のチップ又はダイに配置されたフリップチップモジュール及び／又はマルチチップモジュールによって、又はここで説明されるように従来の構成回路の適切なネットワークを相互に接続することによって実現され、それらの修正は、技術分野における当業者に容易に明らかである。
【００２７】
本発明は、また本発明による１つ以上のプロセス又は方法を行うように機械をプログラムするために用いられる命令を含むコンピュータ製品である記憶媒体又は媒体及び／又は送信媒体又は媒体を含む。コンピュータ製品に包含される命令の機械による実行は、回路素子を取り巻く動作に加えて、入力データを記憶媒体で１つ以上のファイル、及び／又はオーディオ及び／又はビジュアルな描写のようなフィジカルオブジェクト又は実体の典型である１つ以上の出力信号に変換する。記憶媒体は、限定されるものではないが、フロッピー（登録商標）ディスク、ハードドライブ、磁気ディスク、光ディスク、ＣＤ−ＲＯＭ、ＤＶＤ、及び光磁気ディスクを含む如何なるタイプのディスク、及びＲＯＭ（リードオンリメモリ）、ＲＡＭ（ランダムアクセスメモリ）、ＥＰＲＯＭ（電気的プログラム可能リードオンリメモリ）、ＥＥＰＲＯＭ（電気的消去可能リードオンリメモリ）、ＵＶＰＲＯＭ（紫外線消去可能リードオンリメモリ）、フラッシュメモリ、磁気カード、光カードのような回路、及び／又は電子命令の格納のために適切な如何なるタイプの媒体を含む。
【００２８】
本発明のエレメントは、１つ以上のデバイス、ユニット、コンポーネント、システム、機械及び／又は装置の一部又は全てを構成する。デバイスは、限定されるものではないが、サーバー、ワークステーション、記憶アレイコントローラ、記憶システム、パーソナルコンピュータ、ラップトップコンピュータ、ノートブックコンピュータ、パームコンピュータ、携帯情報端末、携帯電子デバイス、バッテリ駆動デバイス、セットトップボックス、エンコーダ、デコーダ、トランスコーダ、コンプレッサ、デコンプレッサ、プリプロセッサ、ポストプロセッサ、トランスミッタ、レシーバ、トランシーバ、サイファ回路、携帯電話、デジタルカメラ、ポジショニング及び／又はナビゲーションシステム、医療機器、ヘッドアップ表示装置、ワイヤレスデバイス、オーディオ録音、記憶及び／又は再生装置、ビデオ録画、記憶及び／又は再生装置、ゲームプラットホーム、周辺装置及び／又はマルチチップモジュールを含む。関連する技術分野における当業者は、特定用途の基準を満たす他のタイプのデバイスで、本発明のエレメントが実現されることを理解するであろう。
【００２９】
本発明は、特にその好適な実施の形態に関して表され説明されたが、本発明の範囲から逸脱することなく、形式と細部の様々な変更なし得るであろうことが当業者によって理解されるであろう。
【図１Ａ】
2013031157.tif 000003
【図１Ｂ】
2013031157.tif 000004
【図２】
2013031157.tif 000005
【図３】
2013031157.tif 000006
【図４】
2013031157.tif 000007
【図５】
2013031157.tif 000008
【図６】
2013031157.tif 000009
【図７】
2013031157.tif 000010
【外国語明細書】
2013031157000001.pdf